(57)【要約】【課題】不正遊技を有効に排除できるスロットマシンを提供する。【解決手段】フォトカプラＰＣに供給されるＤＣ５Ｖと、払出モータＭＯに供給されるＤＣ２４Ｖと、フォトカプラＰＣをＯＮ動作させるメダル払出信号ＰＡＹとを、接続コネクタＣＮ４を経由して、他の制御部から受ける払出制御部５５を有し、払出制御部５５が、フォトカプラＰＣのＯＮ動作に対応して、払出モータＭＯを駆動して遊技者にメダルを払出すスロットマシンである。払出制御部５５に、メダル払出信号ＰＡＹを受けてＯＮ動作してフォトカプラＰＣをＯＮ動作させるスイッチ回路Ｑ１を設けると共に、ＤＣ５Ｖの電源ラインに、過電流を制限する電流制限回路を設ける。【選択図】図７
2010136861.tif 000002
【特許請求の範囲】
【請求項１】
インタフェイス素子に供給される第一電源と、払出モータに供給される第二電源と、前記インタフェイス素子をＯＮ動作させる払出信号とを、接続コネクタを経由して、他の制御部から受ける払出制御部を有し、
前記払出制御部が、前記インタフェイス素子のＯＮ動作に対応して、前記払出モータを駆動して遊技者に有価物を払出す遊技機であって、
前記払出制御部に、前記払出信号を受けてＯＮ動作して前記インタフェイス素子をＯＮ動作させるスイッチ回路を設けると共に、
前記第一電源と第二電源の電源ラインの何れか一方又は双方に、過電流を制限する電流制限回路か、過電流時に前記電源ラインを遮断する遮断回路を設けたことを特徴とする遊技機。
【請求項２】
前記電流制限回路は、汎用レギュレータＩＣに内蔵させる請求項１に記載の遊技機。
【請求項３】
前記遮断回路は、前記第一電源又は第二電源の電源ラインの電流に対応する検出電圧を出力する電流検出回路と、前記検出電圧を基準電圧と比較して二値電圧を出力する異常検出回路と、を有して構成されている請求項１に記載の遊技機。
【請求項４】
前記遮断回路は、前記異常検出回路の出力を受けるフリップフロップを更に有して構成されている請求項３に記載の遊技機。
【請求項５】
前記二値信号は、前記フリップフロップ回路のセット入力端子に供給される請求項４に記載の遊技機。
【請求項６】
前記フリップフロップ回路のリセット入力端子には、遊技機の電源投入時、及び／又は、前記前記インタフェイス素子をＯＮ動作させる払出信号の出力時に、リセット信号が供給される請求項４又は５に記載の遊技機。
【請求項７】
前記スイッチ回路（Ｑ１）は、他の制御部に搭載された他のスイッチ回路（Ｑａ）の出力信号に基づいてＯＮ動作され、
前記スイッチ回路は、有価物を払出する払出動作時だけに、ＯＦＦ動作するよう制御されている請求項１〜５の何れかに記載の遊技機。
【請求項８】
前記スイッチ回路を構成するスイッチング素子は、抵抗を通して前記第一電源にプルアップされている請求項７に記載の遊技機。
【発明の詳細な説明】
【技術分野】
【０００１】
本発明は、コンピュータ装置を内蔵する電子遊技機に関し、特に、遊技媒体としてメダル又は遊技球を用いる回胴遊技機や弾球遊技機に好適に適用される。
【背景技術】
【０００２】
スロットマシンなどの回胴遊技機では、遊技者がメダル投入口にメダルを投入してスタートレバーを操作すると、これに応じて、回転リールの回転が開始される。そして、遊技者がストップボタンを押して回転リールを停止させたとき、停止ライン上の図柄が揃うと、その図柄に応じた配当メダルが払い出されるようになっている。但し、各ゲームの当否状態は、実際には、機器内部の抽選処理によって各ゲームの開始時に予め決まっており、この抽選処理によって当選した図柄を、遊技者が停止ライン上に揃えることで配当メダルが払出される。
【０００３】
この配当メダルは、各スロットマシン内部に配置されたメダルホッパーに予め貯留されている。そして、払出モータＭＯが回転してメダルを払出し、払出検出センサが必要個数の払出枚数を確認すると払出動作が終了するようになっている。
【０００４】
払出モータＭＯは、例えば、ＤＣ２４Ｖの電圧で回転する直流モータで構成されている。そして、メダル払出信号ＰＡＹを受けるフォトカプラを設け、メダル払出信号ＰＡＹがＬレベルになると、フォトカプラの出力側のトランジスタがＯＮ動作して、直流モータの電流駆動回路が形成されるよう構成されている。
【発明の開示】
【発明が解決しようとする課題】
【０００５】
ところが、メダル払出信号ＰＡＹがＬレベルになると、払出モータが回転を始めるので、この関係を悪用して、接続コネクタの部分でメダル払出信号の信号ラインをグランドに落とす違法行為が懸念されるところである。例えば、一旦、外した接続コネクタに、極細の短絡片を配置した後、再度、元の状態に戻すなどの違法行為が考えられる。ここで、特許文献１に記載の発明も提案されているが、簡易性にかけるので必ずしも適切な対策とはいえない。
【特許文献１】特開２００５−１４３６５６号公報
【０００６】
また、上記した違法行為の問題とは別に、機器異常時にも、適切に動作するメダル払出制御装置の回路構成が強く望まれる。典型的には、過大電流によって払出モータや電子素子の焼損や劣化を未然防止できる構成が望まれる。
【０００７】
本発明は、上記の問題点に鑑みてなされたものであって、違法行為を排除できる遊技機を提供することを目的とする。また、機器異常時やその他のタイミングでも常に適切に動作する遊技機を提供することを目的とする。
【課題を解決するための手段】
【０００８】
上記の目的を達成するため、本発明は、インタフェイス素子に供給される第一電源と、払出モータに供給される第二電源と、前記インタフェイス素子をＯＮ動作させる払出信号とを、接続コネクタを経由して、他の制御部から受ける払出制御部を有し、
前記払出制御部が、前記インタフェイス素子のＯＮ動作に対応して、前記払出モータを駆動して遊技者に有価物を払出す遊技機であって、前記払出制御部に、前記払出信号を受けてＯＮ動作して前記インタフェイス素子をＯＮ動作させるスイッチ回路を設けると共に、前記第一電源と第二電源の電源ラインの何れか一方又は双方に、過電流を制限する電流制限回路か、過電流時に前記電源ラインを遮断する遮断回路を設けたことを特徴とする。
【０００９】
前記電流制限回路は、簡易的には、汎用レギュレータＩＣに内蔵させるべきである。また、前記遮断回路は、好ましくは、前記第一電源又は第二電源の電源ラインの電流に対応する検出電圧を出力する電流検出回路と、前記検出電圧を基準電圧と比較して二値電圧を出力する異常検出回路と、を有して構成される。ここで、前記遮断回路は、前記異常検出回路の出力を受けるフリップフロップを更に有して構成されていると更に好ましい。簡易的には、前記二値信号は、前記フリップフロップ回路のセット入力端子に供給される。
【００１０】
また、前記フリップフロップ回路のリセット入力端子には、遊技機の電源投入時、及び／又は、前記前記インタフェイス素子をＯＮ動作させる払出信号の出力時に、リセット信号が供給されるよう構成するのが好ましい。
【００１１】
ところで、前記スイッチ回路（Ｑ１）は、他の制御部に搭載された他のスイッチ回路（Ｑａ）の出力信号に基づいてＯＮ動作され、前記スイッチ回路は、有価物を払出する払出動作時だけに、ＯＦＦ動作するよう制御されるのが効果的である。この場合、前記スイッチ回路を構成するスイッチング素子は、抵抗を通して前記第一電源にプルアップされているのが好ましい。
【発明の効果】
【００１２】
上記した本発明によれば、違法行為を排除できると共に、常に適切に動作する遊技機を実現することができる。
【発明を実施するための最良の形態】
【００１３】
以下、実施例に基づいて本発明を更に詳細に説明する。図１〜図４は、実施例に係るスロットマシンＳＬを図示したものである。本スロットマシンＳＬは、矩形箱状の本体ケース１と、各種の遊技部材を装着した前面パネル２とが、ヒンジ３を介して連結され、前面パネル２が本体ケース１に対して開閉可能に構成されている（図２）。そして、図１は前面パネル２の正面図、図２はスロットマシンＳＬの右側面図（ａ）と平面図（ｂ）、図３は前面パネル２の背面図、図４は本体ケース１の内部正面図を示している。
【００１４】
図４に示す通り、本体ケース１の略中央には、３つの回転リール４ａ〜４ｃを備える図柄回転ユニット４が配置され、その下側に、メダル払出装置５が配置されている。各回転リール４ａ〜４ｃには、ＢＢ図柄、ＲＢ図柄、各種のフルーツ図柄、及びリプレイ図柄などが描かれている。メダル払出装置５には、メダルを貯留するメダルホッパー５ａと、払出モータＭＯと、メダル払出制御基板５５と、払出中継基板６３と、払出センサＳＥ（図５）などが設けられている。ここで、メダルは、払出モータＭＯの回転に基づいて、払出口５ｂから図面手前に向けて導出される。なお、限界量を越えて貯留されたメダルは、オーバーフロー部５ｃを通して、補助タンク６に落下するよう構成されている。
【００１５】
上記のメダル払出装置５に隣接して電源基板６２が配置され、また、図柄回転ユニット４の上部に主制御基板５０が配置され、主制御基板５０に隣接して回胴設定基板５４が配置されている。なお、図柄回転ユニット４の内部には、回胴ＬＥＤ中継基板５８と回胴中継基板５７とが設けられ、図柄回転ユニット４に隣接して外部集中端子板５６が配置されている。
【００１６】
図１に示すように、前面パネル２の上部には液晶表示ユニット７が配置され、その下部には、回転リール４ａ〜４ｃに対応する３つの表示窓８ａ〜８ｃが配置されている。表示窓８ａ〜８ｃを通して、各回転リール４ａ〜４ｃの回転方向に、各々３個程度の図柄が見えるようになっており、合計９個の図柄の水平方向の三本と、対角線方向の二本が仮想的な停止ラインとなる。このような表示窓８ａの左側には、遊技状態を示すＬＥＤ群９が設けられ、その下方には、遊技成果として払出されるメダル数を表示する払出表示部１０や、クレジット状態のメダル数を表示する貯留数表示部１１が設けられている。
【００１７】
前面パネル２の垂直方向中央には、メダルを投入するメダル投入口１２が設けられ、これに隣接して、メダル投入口１２に詰まったメダルを返却させるための返却ボタン１３が設けられている。また、クレジット状態のメダルを払出すクレジット精算ボタン１４と、メダル投入口１２へのメダル投入に代えてクレジット状態のメダルを擬似的に一枚投入する投入ボタン１５と、クレジット状態のメダルを擬似的に三枚投入するマックス投入ボタン１６とが設けられている。
【００１８】
これらの遊技部材の下方には、回転リール４ａ〜４ｃの回転を開始させるスタートレバー１７と、回転中の回転リール４ａ〜４ｃを停止させるためのストップボタン１８ａ〜１８ｃが設けられている。その他、前面パネル２の下方には、メダルを蓄える横長の受け皿１９と、払出装置５の払出口５ｂに連通するメダル導出口２０とが設けられている。なお、メダル導出口２０の左右にはスピーカＳＰが配置されている。
【００１９】
図３に示すように、前面パネル３の裏側には、メダル投入口１２に投入されたメダルの選別を行うメダル選別装置２１と、メダル選別装置２１により不適正と判別されたメダルをメダル導出口２０に案内する返却通路２２とが設けられている。また、前面パネル３の裏側上部には、演出制御基板５１、演出インタフェイス基板５２、及び液晶制御基板６１などを収容する基板ケース２３が配置されている。そして、メダル選別装置２１の上部には、図１に示す各種の遊技部材と主制御基板５０との間の信号を中継する遊技中継基板５３が設けられている。
【００２０】
図５は、実施例に係るスロットマシンＳＬの回路構成を示すブロック図である。図示の通り、このスロットマシンＳＬは、回転リール４ａ〜４ｃを含む各種の遊技部材の動作を制御する主制御基板５０と、主制御基板５０から受けた制御コマンドに基づいて演出動作を実現する演出制御基板５１と、交流電圧（２４Ｖ）を直流電圧（５Ｖ，１２Ｖ，２４Ｖ）に変換して装置各部に供給する電源基板６２とを中心に構成されている。
【００２１】
主制御基板５０は、演出制御基板５１に対して、スピーカＳＰによる音声演出、ＬＥＤランプや冷陰極線管放電管によるランプ演出、及び、液晶表示ユニット７による図柄演出を実現するための制御コマンドを出力している。そして、演出制御基板５１は、演出インタフェイス基板５２を通して、液晶制御基板６１に接続されており、液晶制御基板６１は、液晶表示（ＬＣＤ）ユニット７における図柄演出を実現している。
【００２２】
演出制御基板５１は、演出インタフェイス基板５２と共に、ＬＥＤ基板５９やインバータ基板６０や回胴ＬＥＤドライブ基板５８を経由して、各種のＬＥＤや冷陰極線管放電管におけるランプ演出を実現している。また、演出制御基板５１は、演出インタフェイス基板５２を通してスピーカＳＰを駆動して音声演出を実現している。
【００２３】
主制御基板５０は、遊技中継基板５３を通して、スロットマシンの各種遊技部材に接続されている。具体的には、スタートレバー１７の始動スイッチ、ストップボタン１８ａ〜１８ｃの停止スイッチ、投入ボタン１５，１６の投入スイッチ、清算ボタン１４の清算スイッチ、投入枚数判定部２１ｄを構成するフォトインタラプタＰＨ１，ＰＨ２、投入メダル返却部２１ｃを構成するブロッカーソレノイド３１、及び、各種ＬＥＤ素子９〜１１などに接続されている。
【００２４】
また、主制御基板５０は、回胴中継基板５７を経由して、回転リール４ａ〜４ｃを回転させる３つのステッピングモータ、及び、回転リール４ａ〜４ｃの基準位置を検出するためのインデックスセンサに接続されている。そして、ステッピングモータを駆動又は停止させることによって、回転リール４ａ〜４ｃの回転動作と、目的位置での停止動作を実現している。
【００２５】
主制御基板５０は、払出中継基板６３を通してメダル払出装置５にも接続されている。メダル払出装置５には、メダル払出制御基板５５と、メダル払出センサＳＥと、払出モータＭＯとが設けられており、メダル払出制御基板５５は、主制御基板５０からのメダル払出信号ＰＡＹに基づいて払出モータＭＯを回転させて、所定量のメダルを払出している。なお、払出モータＭＯは、ブラシモータなどのＤＣモータであり、ＤＣ２４Ｖを受けている限り回転を継続する。
【００２６】
その他、主制御基板５０は、外部集中端子板５６と、回胴設定基板５４にも接続されている。外部集中端子板５６は、例えばホールコンピュータＨＣに接続されており、主制御基板５０は、外部集中端子板５６を通して、メダルの投入枚数やメダルの払出枚数などを出力している。また、回胴設定基板５４は、係員が設定した確率的なメダル払出枚数のランク設定値を示す設定キー信号などを出力している。
【００２７】
図６（ａ）は、主制御基板５０と、払出中継基板６３と、メダル払出制御基板５５との接続関係を図示した概略図である。図示の通り、メダル払出制御基板５５は、払出中継基板６３を経由して、主制御基板５０から、メダル払出信号ＰＡＹと、ＤＣ５Ｖと、ＤＣ２４Ｖとを受けている。なお、当然ながら、メダル払出制御基板５５のグランドラインＧＮＤは、主制御基板５０と共通している。
【００２８】
図６（ａ）に示す通り、主制御基板５０の出力部は、メダル払出信号ＰＡＹを出力する制御信号回路７０と、ＤＣ５Ｖを出力する直流出力回路８０とを有して構成されている。そして、メダル払出信号ＰＡＹとＤＣ５Ｖとは、ＤＣ２４Ｖ及びグランド信号を含んだ他の信号と共に、接続コネクタＣＮ１から出力されている。
【００２９】
制御信号回路７０は、メダルの払出枚数に対応するパルス幅τを有する駆動パルスＳＧを受けるＮＯＴゲートＧ１と、ＮＯＴゲートＧ１の出力を受けるＮチャンネルＭＯＳトランジスタＱａと、トランジスタＱａのプルアップ抵抗Ｒａと、で構成されている。図示の通り、トランジスタＱａのゲート端子は、ＮＯＴゲートＧ１の出力端子に接続され、ソース端子はグランドに接続されている。また、トランジスタＱａのドレイン端子は、プルアップ抵抗Ｒａを通して主制御基板５０のＤＣ５Ｖの電源ラインに接続されると共に、メダル払出信号ＰＡＹの出力端子として、コネクタＣＮ１に接続されている。
【００３０】
駆動パルスＳＧは、払出動作時にだけＨレベルとなり、それ以外の定常状態では、Ｌレベルを維持する（図６（ｂ）参照）。本実施例では、駆動パルスＳＧは、論理反転されてトランジスタＱａのゲート端子に供給されるので、トランジスタＱａは、払出動作時にだけＯＦＦ動作し、それ以外の定常時にはＯＮ状態となる。したがって、この実施例では、メダル払出信号ＰＡＹは、駆動パルスＳＧがＨレベルとなる払出動作時にだけ、Ｈレベルとなり、それ以外の定常状態ではＬレベルを維持することになる。
【００３１】
直流出力回路８０は、ＤＣ５Ｖより高い入力電圧Ｖｉｎ（例えばＤＣ１２Ｖ）を受けてＤＣ５Ｖを出力する三端子レギュレータＲＧで構成されている。なお、三端子レギュレータは、７８０５などの汎用のレギュレータＩＣで構成され、負荷短絡時の短絡電流を抑制する過電流制限回路と、ＩＣ過熱時に出力を遮断してＩＣチップを保護する過熱保護回路とが内蔵されている。
【００３２】
図６（ｃ）は、７８０５の内部回路を例示したものである。この三端子レギュレータＲＧでは、その出力電流は、ダーリントン接続されたトランジスタＱ１０，Ｑ１１から流出し、トランジスタＱ１２が電流制限機能を果たしている。すなわち、過電流によって電流制限抵抗Ｒｓの両端電圧が増加すると、トランジスタＱ１２の動作によってトランジスタＱ１０のベース電位が降下して過大電流が抑制される。
【００３３】
図６（ｄ）は、三端子レギュレータ（７８０５）ＲＧの出力電圧Ｖｏと出力電流Ｉｏとの関係を示す特性図である。図示の通り、Ｖｏ−Ｉｏ特性は、いわゆる「フの字垂下特性」を示しており、三端子レギュレータＲＧの出力端子が、ＯＮ状態のトランジスタＱａのドレイン端子に接続された場合でも、最大短絡電流が所定レベル（例えば２００ｍＡ〜３００ｍＡ程度）に制限される。そこで、この実施例では、この最大短絡電流に対応する電流容量のトランジスタＱａが選択されている。
【００３４】
図７は、メダル払出制御基板５５の回路構成を具体的に図示したものである。なお、払出中継基板６３は、各種の信号を分配して伝送するだけであるので図示を省略している。
【００３５】
図６に関して説明した通り、メダル払出制御基板５５は、コネクタＣＮ４を通して払出中継基板６３に接続され、主制御基板５０から、ＤＣ２４Ｖ、ＤＣ５Ｖ、及びメダル払出信号ＰＡＹを受けている。そして、メダル払出制御基板５５のコネクタＣＮ５には、払出モータＭＯが接続されて、メダル払出信号ＰＡＹがアクティブレベル（Ｈレベル）であれば、払出モータＭＯがＤＣ２４Ｖを受けて連続して回転するようになっている。
【００３６】
メダル払出制御基板５５には、フォトカプラＰＣによる信号伝送回路８１と、バイポーラトランジスタＱ３，Ｑ４による電流制限回路８２と、ＭＯＳトランジスタＱ５による駆動制御回路８３と、ＭＯＳトランジスタＱ６による制動回路８４とが設けられている。
【００３７】
信号伝送回路８１は、主制御基板５０の三端子レギュレータＲＧから出力されるＤＣ５Ｖを受けて機能し、電流制限抵抗Ｒ１と、フォトカプラＰＣの発光ダイオードＤと、バイポーラトランジスタＱ１との直列回路で構成されている。そして、発光ダイオードＤが発光してフォトカプラＰＣのフォトトランジスタＴｒがＯＮ動作すると、ＤＣ２４Ｖが給電されて、電流制限回路８２や駆動制御回路８３が動作可能となる。
【００３８】
図示の通り、トランジスタＱ１のベース端子には、ベース抵抗Ｒ２を通してメダル払出信号ＰＡＹが供給され、エミッタ端子は、グランドに接続されている。また、トランジスタＱ１のコレクタ端子は、発光ダイオードＤのカソード端子に接続されている。したがって、メダル払出信号ＰＡＹがＨレベルになると、トランジスタＱ１がＯＮ動作して、フォトカプラＰＣがＯＮ動作することになる。
【００３９】
電流制限回路８２は、ＰＮＰ型トランジスタＱ３と、コレクタ抵抗Ｒ４、バイアス抵抗Ｒ１０と、払出モータＭＯの電流検出抵抗Ｒ１３と、バイアス抵抗Ｒ５と、コンデンサＣ１と、ＮＰＮ型トランジスタＱ４と、電流制限抵抗Ｒ８と、逆方向電流阻止用のダイオードＤ２とで構成されている。
【００４０】
トランジスタＱ３のエミッタ端子は、フォトカプラのトランジスタＴｒのエミッタ端子と、電流制限抵抗Ｒ８とに接続されている。そして、トランジスタＱ３のエミッタ端子とベース端子の間には、電流制限抵抗Ｒ８とダイオードＤ２とが直列接続され、ダイオードＤ２のカソード端子が、トランジスタＱ３のベース端子に接続されている。また、ダイオードＤ２のカソード端子は、トランジスタＱ４のコレクタ端子に接続され、そのエミッタ端子はグランドに接続されている。トランジスタＱ４のベース端子は、並列接続されたコンデンサＣ１及び抵抗Ｒ５を通して、グランドに接続されている。
【００４１】
また、トランジスタＱ４のベース端子は、抵抗Ｒ１０を通して、ＮチャンネルＭＯＳトランジスタＱ５のソース端子に接続されている。ＮチャンネルＭＯＳトランジスタＱ５のソース端子とグランドとの間に、抵抗Ｒ１３が接続されて、払出モータＭＯの駆動電流を監視している。なお、電流検出抵抗Ｒ１３は、０．５１Ω程度である。
【００４２】
駆動制御回路８３は、ＮチャンネルＭＯＳトランジスタＱ５と、バイアス抵抗Ｒ９と、コンデンサＣ３とで構成されている。ここで、ＭＯＳトランジスタＱ５のドレイン端子は、払出モータＭＯの（−）端子に接続されている。そして、ベース端子とソース端子との間には、並列接続された抵抗Ｒ９及びコンデンサＣ３が接続されている。
【００４３】
制動回路８４は、ＰチャンネルＭＯＳトランジスタＱ６と、分圧用のバイアス抵抗Ｒ１１，Ｒ１２，Ｒ６，Ｒ７と、コンデンサＣ２と、逆方向電流阻止用のダイオードＤ１と、ポリスイッチＲＴとで構成されている。ＰチャンネルＭＯＳトランジスタＱ６のソース端子とドレイン端子は、各々、払出モータＭＯの（＋）端子と（−）端子に接続されている。したがって、ＰチャンネルＭＯＳトランジスタＱ６がＯＮ動作すると払出モータＭＯの駆動が禁止されることになる。
【００４４】
一方、ＭＯＳトランジスタＱ６のソース端子とゲート端子間には抵抗Ｒ１１が接続され、ゲート端子とグラントとの間には、バイアス抵抗Ｒ１２，Ｒ６，Ｒ７が直列接続されている。そして、抵抗Ｒ１２と抵抗Ｒ６の接続点には、ダイオードＤ１のカソード端子が接続されている。一方、ダイオードＤ１のアノード端子は、フォトカプラＰＣのトランジスタＴｒのエミッタ端子と、抵抗Ｒ８とに接続されている。
【００４５】
ポリスイッチＲＴは、ＰチャンネルＭＯＳトランジスタＱ２のドレイン端子と払出モータＭＯの（＋）端子との間に接続されている。ここでポリスイッチとは、ポリマー系のＰＴＣ（Positive Temperature Coefficient)サーミスタであり、素子温度が所定値より上昇すると、正常状態では１Ω以下の抵抗値が、急激に増加して１０４Ω〜１０６Ω程度になる特性を有している。したがって、例えば、払出モータＭＯの配線の短絡などによって過大電流が流れる場合には、ＤＣ２４Ｖの電源ラインを開放状態にする役目を果たす。なお、このポリスイッチＲＴは、電流制限回路８２が機能しないようなトラブル時に大きな意義がある。
【００４６】
続いて、主制御部５０において実行されるメダル払出処理について図８のフローチャートに基づいて説明する。先ず、遊技者に払出すべきメダル払出枚数が０か否か判定され（ＳＴ１０）、メダル払出枚数≠０であれば、クレジット数が上限値（例えば５０枚）に達するまでは、クレジット数を増加させることで払出処理を実行する（ＳＴ１１〜ＳＴ１３）。
【００４７】
一方、このようにしてクレジット数が上限値に達するか、或いは、もともと上限値に達している場合には、メダル払出信号ＰＡＹをＯＮレベル（Ｈレベル）にする（ＳＴ１５）。具体的には、主制御部５０の出力トランジスタＱａをＯＦＦ動作させることで、メダル払出制御基板５５のトランジスタＱ１をＯＮ動作させて、メダル払出制御基板５５のフォトカプラＰＣをＯＮ動作させる。その結果、払出モータＭＯが回転を開始してメダルの払出が開始される。
【００４８】
なお、このメダル払出動作時には、それまでＯＮ動作していた出力トランジスタＱａがＯＦＦ状態となるので、主制御部５０のＤＣ５Ｖライン→プルアップ抵抗Ｒａ→ベース抵抗Ｒ２の経路で、トランジスタＱ１のベース電流が流れる。
【００４９】
メダル払出動作が開始されると、次に、払出センサＳＥ（図５）がメダル払出を検出したか否か判定され（ＳＴ１６）、所定の待機時間、メダルの払出が検出されるのを待つ（ＳＴ１８）。そして、メダルの払出が検出されれば、払出枚数を減算し（ＳＴ１７）、残余払出枚数が０になるまで同じ動作を繰返す。一方、所定の待機時間を超えても、払出センサＳＥがメダルの払出を検出しない場合は、メダルホッパー５ａが空であると思われるので、その旨の異常報知処理を実行する（ＳＴ１９）。そして、ドアセンサの開閉が検出されたら、係員による補給処理が完了したと想定して、エラー報知処理を解除してステップＳＴ１５の処理に戻る。
【００５０】
このような処理を繰返していると、やがて、残余払出枚数が０になるので（ＳＴ１３）、メダル払出信号ＰＡＹをＯＦＦ状態にして処理を終える（ＳＴ１４）。具体的には、主制御部５０の出力トランジスタＱａをＯＮ動作させることで、メダル払出制御基板５５のトランジスタＱ１をＯＦＦ動作させ、メダル払出制御基板５５のフォトカプラＰＣをＯＦＦ動作させる。この結果、払出モータＭＯの回転が停止される。
【００５１】
図９〜図１０は、メダル払出動作を説明するための図面である。先ず、主制御部５０の出力トランジスタＱａがＯＦＦ状態となった場合（ＳＴ１５）について、図９に基づいて説明する。
【００５２】
出力トランジスタＱａがＯＦＦ状態である場合には、三端子レギュレータＲＧ（ＤＣ５Ｖ）→抵抗Ｒ１→フォトカプラの発光ダイオードＤ→出力トランジスタＱａの経路でＯＮ電流が流れ、フォトカプラＰＣがＯＮ状態となる。そして、ＯＮ状態のフォトカプラＰＣのトランジスタＴｒを通過する直流電流は、ダイオードＤ１→抵抗Ｒ６→Ｒ７の経路に流れる。また、トランジスタＴｒを通過する直流電流は、抵抗Ｒ８→抵抗Ｒ９→抵抗Ｒ１３の経路と、抵抗Ｒ８→抵抗Ｒ９→抵抗Ｒ１０→Ｒ５の経路にも流れる。その結果、トランジスタＱ５はＯＮ状態となり、ポリスイッチＲＴ→払出モータＭＯ→トランジスタＱ５の経路でモータ駆動電流が流れ、払出モータＭＯが回転する。
【００５３】
この時、電流制限回路８２は、過大なモータ駆動電流が流れることを防止する負帰還回路として機能する。すなわち、モータ駆動電流は、電流検出抵抗Ｒ１３に流れるので、仮に、モータ駆動電流が大きく増加すると、トランジスタＱ４のベース電位が増加して、抵抗Ｒ８→ダイオードＤ２経路でコレクタ電流が流れる。
【００５４】
すると、トランジスタＱ４とトランジスタＱ３とは、サイリスタ構造を有して接続されているので、トランジスタＱ４のコレクタ電流の増加が、トランジスタＱ３のコレクタ電流の増加をもたらし、抵抗Ｒ５を経由してトランジスタＱ４のコレクタ電流を益々増加させることで、２つのトランジスタＱ３，Ｑ４は、ＯＮ動作に向けた正帰還ループを形成する。
【００５５】
一方、トランジスタＱ４のコレクタ電流が飽和電流に向けて増加すると、ダイオードＤ２のアノード端子の電位が降下するので、トランジスタＱ５をＯＦＦ動作させる向きの負帰還ループが形成される。したがって、トランジスタＱ５の動作に基づいて、過大なモータ駆動電流が流れることが防止され、モータ駆動電流が所定範囲に維持される。
【００５６】
ところで、払出モータＭＯが駆動されているタイミングでは、トランジスタＱ６は、ＯＦＦ状態である。それは、抵抗Ｒ１１→抵抗Ｒ１２→抵抗Ｒ６→抵抗Ｒ１８の経路で電流が流れると共に、ダイオードＤ１→抵抗Ｒ６→抵抗Ｒ１８の経路でも電流が流れるので、抵抗Ｒ１１と抵抗Ｒ１２の両端電圧が、トランジスタＴｒの飽和電圧ＶＣＥとダイオードの順方向電圧降下ＶＦからＶＣＥ＋ＶＦ≒１Ｖに抑制されるからである。
【００５７】
次に、図１０に基づいて、主制御部５０の出力トランジスタＱａがＯＮ状態となった場合（ＳＴ１３）の動作を説明する。
【００５８】
この場合には出力トランジスタＱａがＯＮ状態であり、トランジスタＱ１はＯＦＦ状態となることから、フォトカプラＰＣはＯＦＦ状態となり、トランジスタＱ３，Ｑ４，Ｑ５はＯＮ状態とならない。但し、抵抗Ｒ１１→抵抗Ｒ１２→抵抗Ｒ６→抵抗Ｒ７→グランドの経路では電流が流れる。ここで、抵抗Ｒ１１の両端電圧は、２４＊Ｒ１１／（Ｒ１１＋Ｒ１２＋Ｒ６＋Ｒ７）≒３Ｖとなるよう設定されているので、このソース端子とゲート端子間の電圧によってトランジスタＱ６はＯＮ状態となる。
【００５９】
このトランジスタＱ６のＯＮ動作は、フォトカプラＰＣのＯＮからＯＦＦへの遷移時に実行されるので、発電機として機能する払出モータＭＯの出力電流がトランジスタＱ６の短絡電流として吸収され、払出モータＭＯの回転にブレーキがかかる。そのため、本実施例の構成によれば、慣性力によるメダルの過払いが防止される。
【００６０】
次に、図１０に基づいて、違法行為時について説明する。トランジスタＱ１をＯＮ動作させてメダル払出動作を開始させるため、例えば、コネクタＣＮ４のメダル払出信号ＰＡＹの信号線を、ＤＣ５Ｖの電源ラインに接触させる違法行為が想定される。しかし、この実施例では、メダル払出時以外の定常状態では、主制御部５０の出力トランジスタＱａがＯＮ状態であるので、前記の違法行為によっても、三端子レギュレータＲＧ→トランジスタＱａの経路で短絡電流が流れるだけで（破線部参照）、メダル払出動作を開始させることはできない。
【００６１】
なお、メダル払出信号ＰＡＹの信号線を、ＤＣ２４Ｖの電源ラインに接触させた行為もあり得ることを想定すると、ＤＣ２４Ｖの電源ラインにも、過電流に対応して出力電流を遮断するシャットダウン回路ＰＲＴか、或いは、短絡電流を制限する図６（ｃ）と同様の電流制限回路を設けておくのが好ましい。なお、簡易的には、シャットダウン回路ＰＲＴや電流制限回路に代えて、ＤＣ２４Ｖの電源ラインに溶断ヒューズを配置したのでも良い。この点は、ＤＣ５Ｖの電源ラインについても同様であり、三端子レギュレータＲＧを使用することなく、シャットダウン回路ＰＲＴか、溶断ヒューズを配置しても良い。
【００６２】
図１１（ａ）は、三端子レギュレータＲＧを使用することなく、ＤＣ５Ｖラインにシャットダウン回路ＰＲＴを設けた回路例である。このシャットダウン回路ＰＲＴは、過電流検出回路９０と、異常検出回路９１と、異常記憶回路９２と、電源遮断回路９３とを有して構成されている。
【００６３】
過電流検出回路９０は、シャント抵抗Ｒｓと、電流シャントモニタＡＰと、負荷抵抗ＲＬとで構成されている。電流シャントモニタＡＰとして、この実施例ではTexas Instrument社のＩＮＡ１３９(CURRENT SHUNT MONITOR)を使用している。このＩＣは、増幅部と出力トランジスタとを有し、シャント抵抗Ｒｓの両端電圧に比例する電流を出力トランジスタから出力するよう構成されている。そして、負荷抵抗ＲＬの両端には、ＤＣ５Ｖラインの電源電流値Ｉに比例した検出電圧Ｅｏ（Ｅｏ∝Ｒｓ＊ＲＬ＊Ｉ）が得られる。
【００６４】
異常検出回路９１は、具体的にはコンパレータＣＰで構成されており、正入力端子（＋）には負荷抵抗ＲＬの両端電圧が供給され、負入力端子（−）には、分圧抵抗Ｒ２０，Ｒ２１によって分圧された基準電圧Ｅｒが供給されている。なお、基準電圧Ｅｒは、５＊Ｒ２１／（Ｒ２０＋Ｒ２１）であって、正常な電源電流Ｉが流れている状態における検出電圧Ｅｏより十分に高い値に設定されている（Ｅｒ＞Ｅｏ）。
【００６５】
異常記憶回路９２は、２つのＮＯＲゲートＧ２，Ｇ３をたすき状に接続したＲＳフリップフロップで構成されている。図１１（ｂ）に真理値表を示す通り、Ｒ入力端子がＬレベルの状態で、Ｓ入力端子がＨレベルに立ち上がるとＱ出力端子がＨレベルとなり、その後、Ｓ入力端子がＬレベルに戻ってもＱ出力端子は、Ｈレベルを維持する。一方、Ｓ入力端子がＬレベルの状態で、Ｒ入力端子がＨレベルに立ち上がるとＱ出力端子がＬレベルとなり、その後、Ｒ入力端子がＬレベルに戻ってもＱ出力端子は、Ｌレベルを維持する。
【００６６】
異常記憶回路９２のＳ入力端子は、コンパレータＣＰの出力端子に接続され、Ｒ入力端子には、主制御部５０が出力するリセット信号ＲＳＴが供給されるようになっている。なお、遊技機の電源投入時に一回だけ、リセット信号ＲＳＴを出力するのでも良いが、ノイズなどによる異常記憶回路９２の誤動作の可能性を考慮すると、メダル払出動作に先立って、毎回、リセット信号ＲＳＴを出力するのが好ましい。
【００６７】
電源遮断回路９３は、この実施例では、ＰチャンネルＭＯＳトランジスタＱｂで構成されている。図示の通り、トランジスタＱｂのゲート端子には、異常記憶回路９２のＱ出力端子が接続されている。また、トランジスタＱｂのソース端子にはシャント抵抗Ｒｓを経由してＤＣ５Ｖが供給されている。
【００６８】
そのため、異常記憶回路９２のＱ出力端子がＬレベルとなると、トランジスタＱｂがＯＮ動作して、トランジスタＱｂのドレイン端子からＤＣ５Ｖの直流電圧が出力される。そして、この時、払出制御基板５５のトランジスタＱ１がＯＮ状態であれば、ＤＣ５Ｖ→シャント抵抗Ｒｓ→トランジスタＱｂ→電流制限抵抗Ｒ１→フォトカプラＰＣ→トランジスタＱ１の経路で電流が流れてフォトカプラＰＣがＯＮ動作する。
【００６９】
なお、この実施例では、主制御部５０の出力トランジスタＱａのゲート端子には、ＮＯＴゲートを経由することなく、直接、負論理の駆動パルスＳＧが供給されている。但し、動作内容は、実施例１の場合と同じであり、メダルを払出さない定常状態では、主制御部５０トランジスタＱａがＯＮ状態であって、払出制御基板５５のトランジスタＱ１をＯＦＦ状態に維持している。
【００７０】
続いて、上記の構成を有する図１１（ａ）のシャットダウン回路ＰＲＴの動作内容を確認的に説明する。トランジスタＱ１が、ＯＮ状態であるかＯＦＦ状態であるかに限らず、遊技機が正常に動作している限り、過電流検出回路９０の検出電圧Ｅｏは、基準電圧Ｅｒより十分に低い（Ｅｏ＜Ｅｒ）。そのため、異常記憶回路９２のＳ入力端子は、定常的にＬレベルとなる。
【００７１】
この定常状態で、異常記憶回路９２のＲ入力端子にリセット信号ＲＳＴが供給されると、異常記憶回路９２のＱ出力端子はＬレベルとなる。すると、トランジスタＱｂがＯＮ動作して、トランジスタＱｂのドレイン端子から、払出制御基板５５にＤＣ５Ｖが供給されるので、トランジスタＱ１のＯＮ／ＯＦＦ状態に対応して、メダル払出動作（図９）か払出停止動作（図１０）が正常に実行される。
【００７２】
ところで、出力トランジスタＱａがＯＮ状態である払出禁止状態（定常状態）において、メダル払出信号ＰＡＹの信号線を、ＤＣ５Ｖの電源ラインに接触させる違法行為もあり得る。しかし、このような場合には、シャント抵抗Ｒｓに過大な電流が流れることで、過電流検出回路９０の検出電圧Ｅｏが、基準電圧Ｅｒを上回る（Ｅｏ＞Ｅｒ）。そのため、異常記憶回路９２のＳ入力端子がＨレベルに立上ることで、異常記憶回路９２のＱ出力端子がＨレベルとなる。すると、トランジスタＱｂがＯＦＦ状態となって、メダル払出制御基板５５への給電が途絶え、メダル払出動作が開始されることはない。
【００７３】
なお、給電が途絶え、シャント抵抗Ｒｓの両端電圧が降下して、Ｅｏ＜Ｅｒの状態に戻ることで、異常記憶回路９２のＳ入力端子がＬレベルに戻るが、Ｑ出力端子はＨレベルに維持される。そのため、図１１の回路構成によっても違法行為を有効に排除することができる。
【００７４】
なお、ＤＣ２４Ｖの電源ラインにも同様のシャットダウン回路を設けておくと、メダル払出信号ＰＡＹの信号線を、ＤＣ２４Ｖの電源ラインに接触させる違法行為にも有効に対処できる。図１１（ｃ）は、その回路例であり、電源電圧５Ｖで動作する異常記憶回路９２と、ＤＣ２４Ｖを通電させる電源開閉回路９３の電圧レベルの相違を考慮してＮチャンネルＭＯＳトランジスタＱｃと、トランジスタＱｂのソース端子とゲート端子間にバイアス抵抗Ｒ２２を設けている。
【００７５】
トランジスタＱｃは、異常記憶回路９２のＱバー出力端子の出力電圧を受けてＯＮ／ＯＦＦ動作する。そして、トランジスタＱｃがＯＮ動作したときだけ、トランジスタＱｂがＯＮ動作して、払出モータＭＯに対するＤＣ２４Ｖの給電が実現される。
【００７６】
以上、本発明の実施例について具体的に説明したが、具体的な記載内容は特に本発明を限定する趣旨ではなく、適宜に変更可能である。例えば、先の実施例ではスロットマシンについて説明したが、遊技球の払出処理をＤＣモータで実現する弾球遊技機においては、本発明が好適に適用される。
【図面の簡単な説明】
【００７７】
【図１】実施例に係るスロットマシンの正面図である。
【図２】図１のスロットマシンの右側面図（ａ）と平面図（ｂ）である。
【図３】スロットマシンの前面パネルを背面から図示した図面である。
【図４】スロットマシンの本体ケースの内部正面図である。
【図５】図１のスロットマシンの回路構成を示すブロック図である。
【図６】主制御基板とメダル払出制御基板との接続関係を示すブロック図である。
【図７】第１実施例のメダル払出制御基板の回路構成を示す回路図である。
【図８】主制御部におけるメダル払出動作を説明するフローチャートである。
【図９】払出動作時におけるメダル払出制御基板の動作を説明する図面である。
【図１０】払出禁止時におけるメダル払出制御基板の動作を説明する図面である。
【図１１】第２実施例の主制御基板の回路構成を示す回路図である。
【符号の説明】
【００７８】
ＭＯ        払出モータ
５５        払出制御部
ＰＣ        インタフェイス素子
ＰＡＹ      払出信号
ＣＮ４      接続コネクタ
ＳＬ        遊技機（スロットマシン）
Ｑ１        スイッチ回路
【図１】
2010136861.tif 000003
【図２】
2010136861.tif 000004
【図３】
2010136861.tif 000005
【図４】
2010136861.tif 000006
【図５】
2010136861.tif 000007
【図６】
2010136861.tif 000008
【図７】
2010136861.tif 000009
【図８】
2010136861.tif 000010
【図９】
2010136861.tif 000011
【図１０】
2010136861.tif 000012
【図１１】
2010136861.tif 000013